(57)【要約】【課題】支持体の着脱性を低下させることなく、清掃のためにフィルタを移動させる際に、フィルタを支持する支持体を所定の取付位置に留めておくことのできる空気調和装置を提供すること。【解決手段】フィルタ（３１）を支持する支持体（５０）は、ケース（１１）に対して着脱可能であると共に、第１の突出部（６１）を基点にスイング可能である。支持体（５０）の側面（６０）は、内壁面（８０）に向かって突出している第２の突出部（６２）を有している。ケース（１１）の内壁面（８０）は、側面（６０）に向かって突出して第２の突出部（６２）が当接可能な規制部（８３）を有している。支持体（５０）がケース（１１）に対して取付位置にある状態において、規制部（８３）は、ガイド溝（８１）が延びている方向を基準として第２の突出部（６２）よりもケース（１１）の挿入口（８１ａ）側に位置している。【選択図】図５
2020020480.tif 000002
【特許請求の範囲】
【請求項１】
空気を導入する導入口が設けられたケースと、このケース内への塵埃の侵入を防止するフィルタと、このフィルタを出し入れ可能に支持すると共に前記ケースに対し着脱可能に取り付けられている支持体と、この支持体に設けられて前記フィルタを移動させるフィルタギアと、前記ケースに設けられて前記フィルタギヤに噛合可能な駆動ギヤと、備えており、
前記支持体は、前記フィルタの出し入れ方向に沿った側面を有し、この側面は、前記ケースの内壁面に向かって突出している第１の突出部を備え、
前記内壁面は、前記第１の突出部がスライド可能なガイド溝を有し、このガイド溝は、前記フィルタの出し入れ方向に延びており、
前記支持体は、
前記第１の突出部が前記ガイド溝の最も奥側に位置しており、かつ、前記フィルタギヤが前記駆動ギヤから離れている離間位置と、
前記第１の突出部が前記ガイド溝の最も奥側に位置しており、かつ、前記フィルタギヤが前記駆動ギヤと噛み合っている取付位置との間を、
前記第１の突出部を基点としてスイング可能である、空気調和装置において、
前記支持体の前記側面は、前記内壁面に向かって突出している第２の突出部を有しており、前記ケースの前記内壁面は、前記側面に向かって突出して前記第２の突出部が当接可能な規制部を有しており、
前記支持体が前記取付位置にある状態において、前記規制部は、前記ガイド溝が延びている方向を基準として前記第２の突出部よりも前記ケースの挿入口側に位置していることにより、前記第２の突出部の前記挿入口側への移動を規制可能な構成である、ことを特徴とする空気調和装置。
【請求項２】
前記内壁面は、前記規制部の前記導入口側の端部から前記ガイド溝に沿って延びている第１のガイド部を有している、ことを特徴とする請求項１に記載の空気調和装置。
【請求項３】
前記内壁面は、前記第１のガイド部の前記挿入口側の端部から前記導入口から離れる方向に延びている第２のガイド部を有している、ことを特徴とする請求項２に記載の空気調和装置。
【発明の詳細な説明】
【技術分野】
【０００１】
本発明は、フィルタの清掃機能を有する空気調和装置に関する。
【背景技術】
【０００２】
空気調和装置には、塵埃の侵入を防止するフィルタを清掃する機能を有するものがある。このような空気調和装置に関する従来技術として特許文献１に開示される技術がある。
【０００３】
特許文献１に開示された空気調和装置は、空気を導入する導入口が設けられたケースと、ケース内への塵埃の侵入を防止するフィルタと、フィルタを出し入れ可能に支持すると共にケースに取り付けられている支持体と、フィルタを移動させるフィルタギアと、フィルタギヤを回転させる駆動ギヤと、送り込まれたフィルタを清掃するブラシと、備えている。
【０００４】
支持体がケースに取付けられている状態で、駆動ギヤの駆動力によりフィルタギヤが回転すると、フィルタはブラシに向かって移動する。回転するブラシは、フィルタの表面に付着している塵埃を掻き取る。ブラシにより清掃されたフィルタは、ケース内の保持部に一時的に保持される。
【０００５】
駆動ギヤはケースに設けられている。フィルタギヤは支持体に設けられている。そして、支持体は、ケースに対して着脱可能に取り付けられている。即ち、フィルタ清掃時には、ケースに対して着脱可能な支持体に対して、駆動ギヤの駆動力が加わる。この駆動力が支持体に加わった場合であっても、支持体を取付位置に留めておくことが望ましい。
【０００６】
特許文献２に開示された空気調和装置では、ケース（メインフレーム３０）に対して着脱可能な支持体（フィルタユニット４０）が取り付けられている。取り付けられた支持体を確実にケースに固定するために、固定部（閉塞部材３５）が設けられている。仮に、このような固定部を特許文献１の空気調和装置に設けると、支持体の着脱性は低下し、部品点数も増える。
【０００７】
支持体の着脱性を低下させずに、支持体をケースの所定の取付け位置に留めて置くことが望ましい。
【先行技術文献】
【特許文献】
【０００８】
【特許文献１】特開２０１８−８４３８８号公報
【特許文献２】特開２０１４−７０８４２号公報
【発明の概要】
【発明が解決しようとする課題】
【０００９】
本発明は、支持体の着脱性を低下させることなく、清掃のためにフィルタを移動させる際に、フィルタを支持する支持体を所定の取付位置に留めておくことのできる空気調和装置の提供を課題とする。
【課題を解決するための手段】
【００１０】
請求項１による発明によれば、空気を導入する導入口が設けられたケースと、このケース内への塵埃の侵入を防止するフィルタと、このフィルタを出し入れ可能に支持すると共に前記ケースに対し着脱可能に取り付けられている支持体と、この支持体に設けられて前記フィルタを移動させるフィルタギアと、前記ケースに設けられて前記フィルタギヤに噛合可能な駆動ギヤと、備えており、
前記支持体は、前記フィルタの出し入れ方向に沿った側面を有し、この側面は、前記ケースの内壁面に向かって突出している第１の突出部を備え、
前記内壁面は、前記第１の突出部がスライド可能なガイド溝を有し、このガイド溝は、前記フィルタの出し入れ方向に延びており、
前記支持体は、
前記第１の突出部が前記ガイド溝の最も奥側に位置しており、かつ、前記フィルタギヤが前記駆動ギヤから離れている離間位置と、
前記第１の突出部が前記ガイド溝の最も奥側に位置しており、かつ、前記フィルタギヤが前記駆動ギヤと噛み合っている取付位置との間を、
前記第１の突出部を基点としてスイング可能である、空気調和装置において、
前記支持体の前記側面は、前記内壁面に向かって突出している第２の突出部を有しており、前記ケースの前記内壁面は、前記側面に向かって突出して前記第２の突出部が当接可能な規制部を有しており、
前記支持体が前記取付位置にある状態において、前記規制部は、前記ガイド溝が延びている方向を基準として前記第２の突出部よりも前記ケースの挿入口側に位置していることにより、前記第２の突出部の前記挿入口側への移動を規制可能な構成である、ことを特徴とする空気調和装置が提供される。
【００１１】
請求項２に記載のごとく、好ましくは、前記内壁面は、前記規制部の前記導入口側の端部から前記ガイド溝に沿って延びている第１のガイド部を有している。
【００１２】
請求項３に記載のごとく、好ましくは、前記内壁面は、前記規制部の前記導入口側の端部から前記ガイド溝に沿って延びている第１のガイド部を有している。
【発明の効果】
【００１３】
請求項１に係る発明では、支持体の側面は、ケースの内壁面に向かって突出している第２の突出部を有している。ケースの内壁面は、支持体の側面に向かって突出して第２の突出部が当接可能な規制部を有している。支持体が取付位置にある状態において、規制部は、ガイド溝が延びている方向を基準として第２の突出部よりもケースの挿入口側に位置している。そのため、フィルタを移動させる際に、駆動ギヤの駆動力が支持体に伝わることにより取付状態にある支持体が移動しようとしても、第２の突出部は、規制部に当接して、支持体のケースの挿入口側への移動が規制される。
【００１４】
即ち、支持体の側面の一部及びケースの内壁面の一部をそれぞれ突出させ、支持体が移動する、又は、移動しようとする際に、互いの突出した部位が当接可能な構成とした。そのため、支持体の着脱性を低下させることなく、支持体を取付け位置に留めておくことができる。
【００１５】
請求項２に係る発明では、内壁面は、規制部の導入口側の端部からガイド溝に沿って延びている第１のガイド部を有している。そのため、支持体をケースに取り付ける際に、第２の突出部を規制部と当接可能な位置にまでガイドすることができる。
【００１６】
請求項３に係る発明では、内壁面は、第１のガイド部の挿入口側の端部から導入口から離れる方向に延びている第２のガイド部を有している。そのため、第２の突出部を第１のガイド部に向けてガイドすることができる。第２の突出部６２は、第１のガイド部及び第２のガイド部を介して、規制部に到達できる。
【図面の簡単な説明】
【００１７】
【図１】本発明の実施例による空気調和装置の斜視図である。
【図２】図１の２−２線断面図である。
【図３】ケースに対する支持体の取り付けを説明をする図である。
【図４】フィルタの左側の側面と、ケースの左側の内壁面について説明する図である。
【図５】図５（ａ）は、ケースに対して離間位置にある支持体を説明する図である。図５（ｂ）は、ケースに対して取付位置にある支持体を説明する図である。
【図６】図５（ｂ）の６−６線断面図である。
【発明を実施するための形態】
【００１８】
＜実施例＞
本発明の実施の形態を添付図に基づいて以下に説明する。なお、図中Ｆｒは前、Ｒｒは後、Ｌは左、Ｒは右、Ｕｐは上、Ｄｎは下を示している。
【００１９】
図１には、実施例による空気調和装置１０が示されている。この空気調和装置１０は、屋内の壁Ｗａに掛けて用いられる。
【００２０】
図１及び図２を参照する。空気調和装置１０は、空気を導入する導入口２１が上面に設けられたケース１１と、屋内の空気をケース１１内に取り込み屋内へ送風するファン２２と、このファン２２が取り込んだ空気と熱交換を行う複数の熱交換器２３と、これらの熱交換器２３の外周を通過した空気を送風する送風口２４と、これらの熱交換器２３の上方に配置されケース１１内への塵埃の侵入を防止するフィルタユニット３０と、フィルタユニット３０に設けられたフィルタ３１を清掃する清掃ユニット４０と、清掃ユニット４０により清掃されたフィルタ３１を一時的に保持する保持部１２と、ケース１１に取り付けられ塵埃を収集する収集箱１３と、ケース１１の後面に設けられて壁Ｗａに固定される金属製の支持板１４と、を有している。
【００２１】
清掃ユニット４０は、回転可能なブラシ４１と、ブラシ４１と共にフィルタ３１を挟み込むことが可能な受け部４２と、ブラシ４１から塵埃を分離する分離部４３と、を有する。受け部４２は、保持部１２の前方に設けられた壁部１５の上部に一体的に形成されている。
【００２２】
フィルタユニット３０は、フィルタ３１を移動させるフィルタギヤ３２を有している。ケース１１に設けられた駆動ギヤ１６（図３参照）によりフィルタギヤ３２が回転すると、フィルタ３１は、後方（清掃ユニット４０側）に送り込まれる。
【００２３】
送り込まれたフィルタ３１の一面は受け部４２に支持される。フィルタ３１の他面はブラシ４１の先端と接触する。回転するブラシ４１は、フィルタ３１の外面に付着した塵埃を絡め取る。塵埃が取り除かれたフィルタ３１は、保持部１２に送り込まれる。
【００２４】
回転するブラシ４１は、分離部４３に接触する。ブラシ４１の先端は、分離部４３により弾かれ、ブラシ４１に付着していた塵埃は分離される。分離された塵埃は、保持部１２の後方を通過して収集箱１３に落下し、収集される。使用者は、収集箱１３をケース１１から外し、収集された塵埃を廃棄することができる。
【００２５】
図３を参照する。フィルタユニット３０は、フィルタ３１を出し入れ可能に支持する支持体５０を有している。左右のフィルタギヤ３２、３３は、共通の回転軸３２ａを有している。駆動ギヤ１６からフィルタギヤ３２に伝わる駆動力は、回転軸３２ａを介してフィルタギヤ３３にも伝わる。左右のフィルタギヤ３２、３３と、左右のフィルタ端部３４、３５に形成されたラックとが噛み合うことにより、フィルタ３１は移動する。
【００２６】
支持体５０は、樹脂成形品であり、ケース１１に対して着脱可能である。支持体５０は、後ろ下がりに湾曲している。支持体５０は、左右のフィルタギヤ３２、３３及びブラシ４１の両端を支持している左右のギヤ支持部５１、５２を有している。
【００２７】
左右のギヤ支持部５１、５２は、それぞれ、フィルタユニット３０の着脱方向（矢印（１）参照）に沿った左側面６０、右側面５３を有している。
【００２８】
支持体５０の右側面５３は、右側面５３から鉛直方向に突出した右突出部５４を有している。右突出部５４は、円柱状を呈する。ケース１１の右内壁面８０には、右突出部５４がスライド可能な右ガイド溝７１が設けられている。右ガイド溝７１は、略前後方向（フィルタユニット３０の着脱方向）に延びている。支持体５０がケース１１に取付けられると、右側面５３は、右内壁面７０と対向する。
【００２９】
図４を参照する。支持体５０の左側面６０は、左側面６０から鉛直方向に突出した左突出部６１（第１の突出部６１）を有している。さらに、支持体５０の左側面６０は、左側面６０から鉛直方向に突出した第２の突出部６２を有している。左突出部６１及び第２の突出部６２は、共に円柱状を呈する。
【００３０】
ケース１１の左内壁面８０は、左突出部６１がスライド可能な左ガイド溝８１が設けられている。左ガイド溝８１は、略前後方向に延びている。支持体５０がケース１１に取付けられると、左側面６０は、左内壁面８０と対向する。さらに、ケース１１の左内壁面８０は、左側面６０の第２の突出部６２が当接可能な当接部８２が設けられている。
【００３１】
図５（ａ）には、離間位置にある支持体５０が示されている。離間位置とは、左突出部６１が左ガイド溝８１の最も後方（スライド方向の奥側）に位置し、かつ、フィルタギヤ３２が駆動ギヤ１６から離れている状態をいう。
【００３２】
離間位置にある支持体５０は、左突出部６１及び右突出部５４（図３参照）を基点としてスイング可能である。矢印（２）に示されるように、離間位置にある支持体５０を、左突出部６１及び右突出部５４を基点としてケース１１に近づける方向にスイングさせると、支持体５０はケース１１に取り付けられる。
【００３３】
図５（ｂ）には、取付位置にある支持体５０が示されている。取付位置とは、支持体５０がケース１１に対して取付けられている状態をいう。詳細には、左突出部６１が左ガイド溝８１の最も後方に位置し、かつ、フィルタギヤ３２が駆動ギヤ１６と噛み合っている状態をいう。
【００３４】
フィルタギヤ３２の回転軸３２ａは、駆動ギヤ１６の回転軸１６ａよりも、前方（左ガイド溝８１の挿入口８１ａ側）、かつ、上方（ケース１１の導入口２１側）に位置している。
【００３５】
図４，図５（ｂ）を参照する。駆動ギヤ１６の軸方向から見て、ケース１１の左内壁面８０に設けられた当接部８２は、略Ｕ字状を呈している。当接部８２は、上下方向に延びている規制部８３と、この規制部８３の上端部８３ａ（導入口２１側の端部）から左ガイド溝８１に沿って延びている第１のガイド部８４と、この第１のガイド部８４の前端部８４ａ（挿入口８１ａ側の端部）から下方（導入口２１から離れる方向）に延びている第２のガイド部８５と、を有している。
【００３６】
図５（ｂ）及び図６を参照する。規制部８３は、左側面６０に向かって突出している。第２の突出部６２は、左内壁面８０に向かって突出している。規制部８３は、第２の突出部６２よりも前方（ケース１１の挿入口８１ａ側）に位置している。詳細には、第２の突出部６２と、規制部８３の後面８３ｂ（スライド方向の奥側の面）とは、当接している。左右方向（フィルタ幅方向）について、左突出部６１は、第２の突出部６２よりも長い。
【００３７】
図３を参照する。なお、右内壁面７０、右側面５３は、それぞれ、左内壁面８０、左側面６０と同様の構成としてもよい。すなわち、駆動ギヤ１６が位置している左側だけではなく、右側にも第２の突出部６２及び当接部８２（図４、図５（ｂ）、図６参照）に相当する部位を設けてもよい。さらには、右側のみに第２の突出部６２及び当接部８２に相当する部位を設けてもよい。
【００３８】
次に、実施例の効果について説明する。
【００３９】
図２及び図５（ｂ）を参照する。清掃ユニット４０を作動させ、矢印（３）に示されるように、フィルタ３１が保持部１２に向けて移動する場合、駆動ギヤ１６は反時計回りに回転し、駆動ギヤ１６と噛み合うフィルタギヤ３２は、時計回りに回転する。
【００４０】
駆動ギア１６の歯とフィルタギヤ３２の歯との当接によって、フィルタギヤ３２が設けられている支持体５０には、駆動ギヤ１６から駆動力が加えられる。そのため、矢印（４）に示されるように、支持体５０は左ガイド溝８１に沿って前方（挿入口８１ａ側）に移動する虞がある。
【００４１】
図５（ｂ）及び図６を参照する。支持体５０の左側面６０は、ケース１１の左内壁面８０に向かって突出している第２の突出部６２を有している。左内壁面８０は、左側面６０に向かって突出している規制部８３を有している。支持体５０が取付位置にある時（図５（ｂ）参照）、左突出部６１は、左突出部６１よりも前方（挿入口８１ａ側）に設けられた規制部８３の後面８３ｂに当接している。そのため、駆動ギヤ１６から支持体５０に駆動力が加わり、矢印（４）に示されるように、左突出部６１が移動しようとしても、規制部８３により、左突出部６１の前方への移動が規制される。したがって、支持体５０の着脱性を低下させることなく、支持体５０を取付位置に留めておくことができる。
【００４２】
なお、規制部８３は、第２の突出部が当接可能な位置にあればよい。即ち、支持体５０が取付位置にある時、第２の突出部は、規制部８３と当接していなくてもよい。支持体５０がが左ガイド溝８１に沿って移動を開始した直後に、第２の突出部が当接する位置にあってもよい。さらに、規制部８３の形状は、上下に延びている薄板状であるが、形状は問わない。
【００４３】
図４及び図５（ａ）を参照する。加えて、左内壁面８０は、規制部８３の上端部８３ａから左ガイド溝８１に沿って延びている第１のガイド部８４を有している。そのため、支持体５０をケース１１に取り付ける際に、第２の突出部６２を規制部８３と当接可能な位置にまでガイドすることができる。
【００４４】
加えて、左内壁面８０は、第１のガイド部８４の前端部８４ａから下方に延びている第２のガイド部８５を有している、そのため、第２の突出部６２を第１のガイド部８４に向けてガイドすることができ、第２の突出部６２が第１のガイド部８４の下方（第１のガイド部８４のガイド面の反対面が向いている側）に入り込むことを防止することができる。したがって、第２の突出部６２は、第１のガイド部８４及び第２のガイド部８５を介して、規制部８３に到達できる。
【００４５】
本発明の作用及び効果を奏する限りにおいて、本発明は実施例に限定されるものではない。
【産業上の利用可能性】
【００４６】
本発明の空気調和装置は、家庭用のエアコン装置に好適である。
【符号の説明】
【００４７】
１０…空気調和装置
１１…ケース
１５…壁部
１６…駆動ギヤ
１６ａ…回転軸
２１…導入口
３０…フィルタユニット
３１…フィルタ
３２…フィルタギヤ
３２ａ…回転軸
４０…清掃ユニット
４１…ブラシ
４２…受け部
５０…支持体
５１…ギヤ支持部
５２…ギヤ支持部
５３…右側面
５４…右突出部
６０…左側面
６１…左突出部（第１の突出部）
６２…第２の突出部
７０…右内壁面
７１…右ガイド溝
８０…左内壁面
８１…左ガイド溝
８２…当接部
８３…規制部
８３ａ…上端部
８３ｂ…後面
８４…第１のガイド部
８４ａ…前端部
８５…第２のガイド部
【図１】
2020020480.tif 000003
【図２】
2020020480.tif 000004
【図３】
2020020480.tif 000005
【図４】
2020020480.tif 000006
【図５】
2020020480.tif 000007
【図６】
2020020480.tif 000008